(57)【要約】      （修正有）【課題】ノート型パーソナルコンピューターを操作時に於いてキーボード上を書見台として書いたり写したりの作業ができ、不必要の時は直ちに入力操作が出来るキーボードカバーを提供する。【解決手段】長方形状のプレート１と、クリップ２と、プレート取付け部３からなる。クリップ２は、パソコンの側面を挟めるようにコの字型をした形状で、上部には、回動軸３１を挿入する回動軸受２１を有する。プレート取付け部３は、クリップ２の上部にヒンジにして合体された回動軸３１とプレート挿し込み口３２を備える。プレート挿し込み口３２に、プレート１の両端を挿入して固着することでプレート１はクリップ２に対して回動軸３１を軸として回動可能となる。プレート１をキーボード側に倒して重ねる事で書見台にでき、プレート１をキーボードから開く事でキーボードの入力操作を可能とする。【選択図】図１
2015156221.tif 000002
【特許請求の範囲】
【請求項１】
長方形状のプレート１と、クリップ２と、プレート取付け部３からなり、クリップ２は、
パソコンの側面を挟めるようにコの字型をした形状で、上部には、回動軸３１を挿入する
回動軸受２１を有し、プレート取付け部３は、クリップ２の上部にヒンジにして合体され
た回動軸３１とプレート挿し込み口３２を備え、プレート挿し込み口３２に、プレート１
の両端を挿入して固着することでプレート１はクリップ２に対して回動軸３１を軸として
回動可能となり、プレート１をキーボード側に倒して重ねる事で書見台にでき、プレート
１をキーボードから開く事でキーボードの入力操作が可能としたことを特徴とするキーボ
ードカバー。      
【発明の詳細な説明】
【技術分野】
【０００１】
本発明は、ノートパソコンを操作時に於いて必要な時、キーボード上を書見台として書い
たり写したりの作業ができ不必要の時は、キーボードカバーを上げると、直ちに入力操作
が出来て又、キーボードの防塵にもなる、キーボードカバーに関する。                
【背景技術】
【０００２】
本発明はパーソナルコンピューターの操作時において、とくにノート型パーソナルコンピ
ューターでは、キーボードと画面が一体となっているため、キーボードをずらして、書
を書くための、机上の空き範囲を得ることができない。                            
【発明の概要】
【発明が解決しようとする課題】
【０００３】
本発明は、机上の占有範囲の書類を確保して、容易に持ち運びが出来て入力線、出力線、
記録媒体等も、そのままの状態で簡単に設置でき、キーボードの上を書見台として使用で
きて図を書いたり写したり出来ることを目的とする又、キーボードを使うときは即座に入
力操作が出来て、キーボードの防塵にもなることを目的とする。
【課題を解決するための手段】
【０００４】
長方形状のプレート１と、クリップ２と、プレート取付け部３からなり、クリップ２は、
パソコンの側面を挟めるようにコの字型をした形状で、上部には、回動軸３１を挿入する
回動軸受２１を有し、プレート取付け部３は、クリップ２の上部にヒンジにして合体され
た回動軸３１とプレート挿し込み口３２を備え、プレート挿し込み口３２に、プレート１
の両端を挿入して固着することでプレート１はクリップ２に対して回動可能とする構造で
、プレート１をキーボード側に倒して重ねる事で書見台になり、プレート１をキーボード
から開く事でキーボードの入力操作が可能となって、防塵にもなるようにした事を特徴と
する、キーボードカバー。
【０００５】
本発明のキーボードカバーＡのプレート１を入力操作時、開いた時の仰角度をＬ字型のス
タンド４の底辺部をノートパソコン本体と机上との隙間に挿しこみ調整する事でプレート
１の仰角度を好みに合わせて調整する事が出来、不要の時は外す。
【発明の効果】
【０００６】
本発明はノート型パーソナルコンピューターの操作時に於いてキーボード上を書見台とし
て書いたり写したりの作業ができ、不必要の時は直ちに入力操作が出来て又、防塵にもな
る事に役立つキーボードカバーを提供する。          
【図面の簡単な説明】
【０００７】
【図１】本発明のキーボードカバーの使用図（入力時）
【図２】本発明のキーボードカバーの使用図（書見台）
【図３】本発明のキーボードカバーの本体構成図（斜視図）
【図４】本発明のキーボードカバーの本体構成図（側面図）
【図５】本発明のキーボードカバーのプレート取付け部の構成
【発明を実施するための形態】
【０００８】
本発明は、入力線、出力線、記録媒体、等そのままの状態で容易に取り付け取り外しが出
来てノート型パーソナルコンピューターのキーボードの上を書見台として使う事が出来、
キーボードの防塵にも役立つキーボードカバーである。                  
【０００９】
図１は本発明のキーボードカバーの使用図（入力時）、図２は本発明のキーボードカバー
の使用図（書見台）、図３は本発明のキーボードカバーの本体構成図（斜視図）、図４は
本発明のキーボードカバーの本体構成図（側面図）、図５は本発明のキーボードカバーの
プレート取付け部の構成を示す。                    
【００１０】
本発明のキーボードカバーＡを、ノート型パーソナルコンピューターの左右両側面どちら
かにキーボードカバーＡのコの字型のクリップ２でキーボード側面を挟みながら挿し込み
固定する、キーボードカバーＡのプレート１をキーボードの上に倒すと書見台になり、キ
ーボードを操作する場合は、プレート１を上方向に開いてスタンド４まで起こして、ほぼ
垂直に立てることで、キーボードの上が空きキーボードを操作できるようにした、
スタンド４のＬ字型の底辺部をノートパソコンと机上との隙間に挿し込み仰角度を調整す
る事が出来て又、プレート１をキーボードの上に倒した時の衝撃とキー上との隙間を保つ
為のパッド１２と用紙を止めるためのクリップ１１を備える。
【００１１】
本発明のキーボードカバーＡは、プレート１と、クリップ２と、プレート取付け部３から
構成され、クリップ２は、パソコンの側面を挟めるようにコの字型をした形状で、上部に
は、回動軸３１を挿入する回動軸受２１を有する、プレート取付け部３は、クリップ２の
上部にヒンジにして合体され回動軸３１とプレート挿し込み口３２を備え、プレート挿し
込み口３２にプレート１の両端を挿入して固着してありプレート１はクリップ２に対して
回動軸３１を軸にして回動可能になり又、キーボードの防塵にも役立ち、プレート１には
用紙を挟むペーパークリップ１１とプレートを倒した時の衝撃とキー上の隙間を保つ為の
パッド１２を備える。
【００１２】
本発明のキーボードカバーＡのスタンド４を、側面視、Ｌ字型で、机上とノートパソコン
本体との隙間にＬ字型の底辺部を挿しこみプレート１の仰角度を好みの位置に調節する。
【００１３】
本発明のキーボードカバーＡの使用方法を説明する、本発明のキーボードカバーＡのコの
字型のクリップ２でキーボードの左右どちらかの側面を挟みながら挿しこみ固定してプレ
ート１をキーボードに倒して重ねることで書見台になり、プレート１をキーボードから開
いて上に起こしてスタンド４に立てかけるとキーボードの入力操作が可能となる、プレー
ト１をキーボードの上に倒した時の衝撃とキー上の隙間を保つ為のパッド１２を設けプレ
ート１にはペーパークリップ１１が備えて有るのでプレート１から用紙は確保される。
【符号の説明】
【００１４】
Ａ  キーボードカバー    
１    プレート  
１１    ペーパークリップ
１２    パッド
２    クリップ  
２１    回動軸受
３    プレート取付け部  
３１    回動軸
３２    プレート挿し込み口
４    スタンド
【図１】
2015156221.tif 000003
【図２】
2015156221.tif 000004
【図３】
2015156221.tif 000005
【図４】
2015156221.tif 000006
【図５】
2015156221.tif 000007